(57)【要約】【課題】居住空間での体験との連動性を高め、演出効果を向上させることができる展示用住宅を提供する。【解決手段】外部空間に面した窓領域（４０）と、窓領域（４０）の両側に設けられた第１袖壁（１２Ｌ）および第２袖壁（１２Ｒ）と、第１袖壁（１２Ｌ）に交差する第１側壁（１３）と、第２袖壁（１２Ｒ）に交差する第２側壁（１５）と、窓領域（４０）の室内側に配されて窓領域（４０）を覆うように昇降可能に設けられた昇降スクリーン（１４）と、昇降スクリーン（１４）、第１側壁（１３）および第２側壁（１５）に対して映像を投影する映像投影装置（２０ａ〜２０ｄ）を備える展示用住宅（１００）。【選択図】図４
2020071245.tif 000002
【特許請求の範囲】
【請求項１】
外部空間に面した窓領域と、
前記窓領域の両側に設けられた第１袖壁および第２袖壁と、
前記第１袖壁に交差する第１側壁と、
前記第２袖壁に交差する第２側壁と、
前記窓領域の室内側に配されて前記窓領域を覆うように昇降可能に設けられた昇降スクリーンと、
前記昇降スクリーン、前記第１側壁および前記第２側壁に対して映像を投影する映像投影装置を備えることを特徴とする展示用住宅。
【請求項２】
請求項１に記載の展示用住宅であって、
第１天井高と前記第１天井高よりも高い第２天井高との間で昇降可能に設けられた吊天井を備えることを特徴とする展示用住宅。
【請求項３】
請求項２に記載の展示用住宅であって、
前記昇降スクリーンは、前記第２天井高よりも高い位置に設けられており、映像投影用のスクリーン面を最上位置まで巻き上げた状態では、前記吊天井によって隠蔽されることを特徴とする展示用住宅。
【請求項４】
請求項２または３に記載の展示用住宅であって、
前記第１天井高よりも高く、前記第２天井高よりも低い位置に、外部空間に面した上部窓領域を備えることを特徴とする展示用住宅。
【請求項５】
請求項１から４の何れか一つに記載の展示用住宅であって、
前記映像投影装置は、前記第１側壁、前記第１袖壁のうち前記昇降スクリーンから露出した領域、前記昇降スクリーン、前記第２袖壁のうち前記昇降スクリーンから露出した領域、前記第２側壁のそれぞれに対して、連続した映像を投影することを特徴とする展示用住宅。
【発明の詳細な説明】
【技術分野】
【０００１】
本発明は、展示用住宅に関し、特に室内に設けられたスクリーンに映像を投影する展示用住宅に関する。
【背景技術】
【０００２】
住宅展示場などでは、実際の住宅を展示して内部を閲覧可能にするだけではなく、住宅建築に用いられている技術について構造の断面図や模型の展示装置で来場者に提示することも行われている。また、設計コンセプトや居住イメージについて映像と音声を交えて大面積のスクリーンに表示する展示用住宅も提案されている（例えば、特許文献１，２を参照）。
【先行技術文献】
【特許文献】
【０００３】
【特許文献１】特開２００４−０９３８５１号公報
【特許文献２】特開２００７−０２４９７６号公報
【発明の概要】
【発明が解決しようとする課題】
【０００４】
特許文献１に記載された技術では、専用に設けたプロジェクションルームにおいて眺望のシミュレーション映像をスクリーンに投影することで、仮想の眺望を来場者に提示して実際の居住時をイメージしやすくしている。特許文献２に記載された技術では、展示施設の出入口に映写室を設けておき、展示施設への入場前にイメージ映像を上映することで、展示施設のコンセプトを理解しやすく提示するとともに、演出効果を高めている。
【０００５】
これらの技術では、映像投影のために専用の空間を用意することで、仮想の眺望や設計コンセプトを効果的に上映できる。しかし、実際の居住スペースとは異なる空間を用意する必要があるため、展示用住宅での居住空間における体験との連動性を高めることが困難であった。また、投影される映像への没入感をさらに高めて、演出効果をより向上させたいという要請もあった。
【０００６】
そこで本発明は、居住空間での体験との連動性を高め、演出効果を向上させることができる展示用住宅を提供することを課題とする。
【課題を解決するための手段】
【０００７】
上記課題を解決するために、本発明の展示用住宅は、外部空間に面した窓領域と、前記窓領域の両側に設けられた第１袖壁および第２袖壁と、前記第１袖壁に交差する第１側壁と、前記第２袖壁に交差する第２側壁と、前記窓領域の室内側に配されて前記窓領域を覆うように昇降可能に設けられた昇降スクリーンと、前記昇降スクリーン、前記第１側壁および前記第２側壁に対して映像を投影する映像投影装置を備えることを特徴とする。
【０００８】
このような本発明の展示用住宅では、昇降スクリーン、第１側壁および第２側壁に対して映像を投影することで没入感を高め、昇降スクリーンを上昇させると背後に設けられた窓領域から外部空間を視認できるので、居住空間での体験との連動性を高め、演出効果を向上させることができる。
【０００９】
また本発明の一態様では、第１天井高と前記第１天井高よりも高い第２天井高との間で昇降可能に設けられた吊天井を備える。
【００１０】
また本発明の一態様では、前記昇降スクリーンは、前記第２天井高よりも高い位置に設けられており、映像投影用のスクリーン面を最上位置まで巻き上げた状態では、前記吊天井によって隠蔽される。
【００１１】
また本発明の一態様では、前記第１天井高よりも高く、前記第２天井高よりも低い位置に、外部空間に面した上部窓領域を備える。
【００１２】
また本発明の一態様では、前記映像投影装置は、前記第１側壁、前記第１袖壁のうち前記昇降スクリーンから露出した領域、前記昇降スクリーン、前記第２袖壁のうち前記昇降スクリーンから露出した領域、前記第２側壁のそれぞれに対して、連続した映像を投影する。
【発明の効果】
【００１３】
本発明では、居住空間での体験との連動性を高め、演出効果を向上させることができる展示用住宅を提供することができる。
【図面の簡単な説明】
【００１４】
【図１】本発明の展示用住宅１００において室内に映像を投影している状態を説明する模式図である。
【図２】図１に示した状態を示す模式断面図である。
【図３】吊天井１０の上側から見た展示用住宅１００の模式平面図である。
【図４】映像を投影している状態における室内を示す模式平面図である。
【図５】映像投影終了後に昇降スクリーン１４を巻き上げている途中の室内を示す模式図である。
【図６】図５に示した状態を示す模式断面図である。
【図７】吊天井１０を最も高い位置にまで上昇させた状態の室内を示す模式図である。
【図８】図７に示した状態を示す模式断面図である。
【図９】昇降スクリーン１４とスクリーンケース５０の構造を示す模式断面図である。
【発明を実施するための形態】
【００１５】
（第１実施形態）
以下、本発明の実施の形態について、図面を参照して詳細に説明する。各図面に示される同一または同等の構成要素、部材、処理には、同一の符号を付すものとし、適宜重複した説明は省略する。図１は、本発明の展示用住宅１００において映像投影室１内に映像を投影している状態を説明する模式図である。図１に示すように、展示用住宅１００の映像投影室１は、吊天井１０と、床面１１と、袖壁１２Ｒ，１２Ｌと、側壁１３（および図３に示す側壁１５）と、昇降スクリーン１４によって空間が仕切られている。
【００１６】
吊天井１０は、後述するように床面１１からの高さを変更可能に吊り下げられた天井である。吊天井１０を構成する材料は限定されず、石膏ボード材や木材などの板状部材を用い、クロスを貼り付けた通常の居室に用いられる天井と同様の構造を用いることができる。また、図１に示すように吊天井１０にはダウンライト等の照明器具１０ａを取り付け、通常の居室における天井と同等にすることが好ましい。
【００１７】
床面１１は、映像投影室１の床であり、展示用住宅１００の他室と同様の構造で構成され、フローリング材やカーペット、畳等で仕上げられている。
【００１８】
袖壁１２Ｒ，１２Ｌは、映像投影室１を構成する壁であり、後述する窓領域４０の両側に設けられて外部空間と映像投影室１内とを隔てており、それぞれ本発明における第１袖壁と第２袖壁に相当している。また、袖壁１２Ｒ，１２Ｌの一部は昇降スクリーン１４によって覆われている。袖壁１２Ｒ，１２Ｌの構造は特に限定されず耐力壁であってもよく、表面にはクロスや塗装で通常の居室と同様の仕上げを施している。
【００１９】
側壁１３，１５は、映像投影室１を構成する壁であり、それぞれ袖壁１２Ｒ，１２Ｌに直角に交差しており、それぞれ本発明における第１側壁と第２側壁に相当している。側壁１３，１５の構造は特に限定されず耐力壁であってもよく、表面にはクロスや塗装で通常の居室と同様の仕上げを施している。
【００２０】
昇降スクリーン１４は、窓領域４０の映像投影室１内側に配置された映像投影用のスクリーンであり、昇降可能に設けられている。昇降スクリーン１４の幅は窓領域４０の幅よりも大きく、昇降スクリーン１４を最も下の位置にまで伸ばした状態では、袖壁１２Ｒ，１２Ｌの一部と窓領域４０全体を昇降スクリーン１４が覆う。
【００２１】
図１に示すように、昇降スクリーン１４を最も下の位置にまで伸ばした状態で、後述する映像投影装置２０ａ〜２０ｄから昇降スクリーン１４、側壁１３および側壁１５に対して映像を投影する。このとき、袖壁１２Ｌ，袖壁１２Ｒのうち昇降スクリーン１４から露出した領域にも映像が投影され、映像投影室１内の３面に連続した映像が投影される。映像の投影時には照明器具１０ａは制御装置によって消灯される。
【００２２】
展示用住宅１００には、図１で示した映像投影室１の他にも、玄関やリビング、キッチン、ベッドルーム等の他の空間が展示されており、映像投影室１との空間的な連続性を演出するためには、床面１１の仕上げを他の空間と統一しておくことが好ましい。また、他の居住空間での体験との連動性を高めるためには、袖壁１２Ｒ，１２Ｌと側壁１３，１５は、通常の居室と同様の仕上げを施していることが好ましい。
【００２３】
本発明の展示用住宅１００では、映像投影室１の３面に連続した映像を投影することで、来場者は３方向を映像で囲まれるため没入感が高まり、演出効果を向上させることができる。また、投影された映像を良好に視認するためには、袖壁１２Ｒ，１２Ｌと側壁１３，１５の全てを白色系の色調で仕上げることが好ましい。また、昇降スクリーン１４の投影面と袖壁１２Ｒ，１２Ｌと側壁１３，１５は、連続した映像を投影する際に境界を目立たなくするために、色調を統一しておくことが好ましい。
【００２４】
図２は、図１に示した状態を示す模式断面図である。図３は、吊天井１０の上側から見た展示用住宅１００の模式平面図である。図２，３に示すように、映像投影室１の上方には、吹抜空間２が設けられており、中間壁１６と、上部壁１７と、吹抜天井部１８と、一階天井部１９が設けられている。また、一階天井部１９の縁部には衝立部１９ａが立設されており、吹抜空間２から納戸空間３が仕切られている。
【００２５】
中間壁１６は、窓領域４０の上方に位置する壁であり、映像投影室１と吹抜空間２を外部空間から隔てている。中間壁１６が設けられている高さは、一階天井部１９と略同程度である。図２に示したように昇降スクリーン１４を映像投影室１内にまで下ろした状態では、中間壁１６は昇降スクリーン１４の背後に隠れているが、後述するように昇降スクリーン１４を吹抜空間２まで上昇させると、映像投影室１内から中間壁１６を視認できるようになる。
【００２６】
上部壁１７は、吹抜天井部１８の下方に位置する壁であり、吹抜空間２と外部空間を隔てている。昇降スクリーン１４を映像投影室１内にまで下ろした状態では、上部壁１７は吊天井１０と昇降スクリーン１４に隠れるが、後述するように昇降スクリーン１４を最も上昇させると、映像投影室１内から上部壁１７の下端近傍を視認できるようになる。
【００２７】
吹抜天井部１８は、吹抜空間２および納戸空間３の上部を覆う天井であり、展示用住宅１００の２階部分に相当する天井である。吹抜天井部１８は、吊天井１０と一階天井部１９に隠されて映像投影室１内からは見えず、後述する吊下梁３２等がアンカーによって吊り下げて保持されている。
【００２８】
一階天井部１９は、映像投影室１のうち窓領域４０とは反対側における吊天井１０が無い領域の天井である。一階天井部１９の上方には納戸空間３が形成されており、後述するモータ部３１やドラム部３４が載置されている。衝立部１９ａは、一階天井部１９の縁部に立設された仕切りであり、吊天井１０の上方である吹抜空間２と、一階天井部１９の上方である納戸空間３とを仕切っている。
【００２９】
図２に示すように、吊天井１０は中間壁１６から一階天井部１９まで吹抜空間２の略全体を覆うように設けられており、吊天井１０と中間壁１６との間隙から昇降スクリーン１４が映像投影室１内に下ろされている。また、吊天井１０を最も下げた状態では、床面１１からの高さはＨ１であり、一階天井部１９と略面一とされている。これにより、映像投影室１で３面に映像を投影している状態では、吊天井１０と一階天井部１９とが一つの天井面を構成するように認識される。
【００３０】
中間壁１６の表面仕上げを袖壁１２Ｌ，１２Ｒと同一にすると、窓領域４０を囲む袖壁１２Ｌ，１２Ｒと中間壁１６が一体の壁として統一感を持たせることができる。中間壁１６の表面仕上げを一階天井部１９や吊天井１０と同一にすると、中間壁１６を映像投影室１の天井の一部として意識させることができる。
【００３１】
図２に示すように、吊天井１０と一階天井部１９よりも上方には、モータ部３１と、吊下梁３２と、セルフロック装置３３とが配置されており、ドラム部３４、ワイヤ３５、吊ボルト３６を用いて吊天井１０が昇降可能に吊り下げられている。
【００３２】
モータ部３１は、図示しない電源と制御装置に接続されて、制御装置からの制御信号にしたがってドラム部３４を回転する動力源である。吊下梁３２は、吹抜空間２から納戸空間３にわたって延びる梁であり、吹抜天井部１８にアンカー等によって吊り下げられている。吊下梁３２には元滑車や枝滑車が設けられており、ワイヤ３５が吊下梁３２に沿って配線される。
【００３３】
セルフロック装置３３は、吊天井１０の落下を防止するための安全装置であり、吹抜天井部にアンカー等によって吊り下げられている。セルフロック装置３３では、ロープの先端を吊天井１０の裏側に接続しておき、吊天井１０が急激に落下した場合には機械的な減速機構や停止機構を作動させて、吊天井１０が映像投影室１に落下することを防止する。
【００３４】
ドラム部３４は、モータ部３１が供給する動力によって駆動される円筒状の装置であり、正方向および逆方向に回転することでワイヤ３５の巻取りと送り出しを行う。ワイヤ３５は、一端が吊ボルト３６に接続され、他端がドラム部３４に巻回されている。図２に示すように、ワイヤ３５はドラム部３４から吊下梁３２の元滑車と枝滑車を介して配線されており、枝滑車から鉛直方向に下ろされて吊ボルト３６で吊天井１０を吊り下げている。吊ボルト３６は、吊天井１０の裏面に固定されたボルトであり、ワイヤ３５の一端が接続されている。
【００３５】
また、昇降スクリーン１４の背面側には窓領域４０が設けられており、窓領域４０の上方には中間壁１６を介して上部窓領域４１が設けられている。昇降スクリーン１４はスクリーンケース５０から下方に延伸され、下端に取り付けられたテンションバー５１が床面１１にまで到達している。したがって、映像投影室１の３面に映像を投影する際には、窓領域４０と中間壁１６と上部窓領域４１は昇降スクリーン１４の裏側に隠されている。
【００３６】
窓領域４０は、袖壁１２Ｒ，１２Ｌの間に設けられた窓であり、映像投影室１と外部空間とを隔てている。窓領域４０には通常の住宅で用いられるガラス窓やサッシを用いることができ、掃出し窓等の各種構造を用いることができる。
【００３７】
上部窓領域４１は、中間壁１６と上部壁１７の間に設けられた窓であり、吹抜空間２と外部空間とを隔てている。上部窓領域４１にも通常の住宅で用いられるガラス窓やサッシを用いることができる。また、窓領域４０と上部窓領域４１とを同様の材質で構成することで、後述するように吊天井１０を最も高い位置にまで上昇させた際にも、映像投影室１の空間に統一性をもたせることができる。
【００３８】
スクリーンケース５０は、昇降スクリーン１４を巻き取って収容する装置であり、電源および制御装置に接続されて、制御信号に従って昇降スクリーン１４の巻取りと送り出しを行う。テンションバー５１は、昇降スクリーン１４の幅方向全体にわたって下端に取り付けられた円柱状の部材であり、昇降スクリーン１４の所定のテンションをかけて平坦性を確保する。
【００３９】
図１，２に示したように、吊天井１０を最も下の位置にまで下ろした状態では、床面１１からの高さＨ１は一階天井部１９の高さと同一であり、例えば約２４００ｍｍ等の一般の住宅における居室の天井高と同程度とする。また、床面１１や袖壁１２Ｒ，１２Ｌ、側壁１３，１５、吊天井１０、中間壁１６、一階天井部１９は通常の住宅で用いられる仕上げとされている。したがって、昇降スクリーン１４を最も下の位置にまで下ろした状態では、来場者は映像投影室１を展示用住宅１００の他室と同様の居室空間と認識し、居住空間での体験との連動性を高め演出効果が向上する。
【００４０】
図４は、映像を投影している状態における室内を示す模式平面図である。映像投影室１にはプロジェクター等の映像投影装置２０ａ〜２０ｄが配置されている。図中破線で示した直線は、映像投影装置２０ａ〜２０ｄそれぞれから投影される映像光の範囲を示している。映像投影装置２０ａ〜２０ｄを映像投影室１内に固定する方法は限定されず、吊天井１０や一階天井部１９にブラケットを用いて吊り下げるとしてもよく、映像投影室１の何れかの壁面にブラケットを用いて固定するとしてもよく、スタンドを用いて床面１１上に配置するとしてもよい。
【００４１】
映像投影装置２０ａ〜２０ｄはそれぞれ電源および制御装置に接続されており、接続装置からの制御信号にしたがって映像の投影を行う。また、制御装置からは投影する映像の情報が映像投影装置２０ａ〜２０ｄに送信されており、各映像投影装置２０ａ〜２０ｄは映像信号にしたがって映像を投影する。
【００４２】
図４に示した例では、映像投影装置２０ａは側壁１３に対して映像を投影し、映像投影装置２０ｂは昇降スクリーン１４の右側と袖壁１２Ｒに対して映像を投影し、映像投影装置２０ｃは昇降スクリーン１４の左側と袖壁１２Ｌに対して映像を投影し、映像投影装置２０ｄは側壁１５に対して映像を投影している。
【００４３】
このとき、映像投影装置２０ｂと２０ｃから投影される映像は、昇降スクリーン１４上で重なり合っている。また、映像投影装置２０ａが投影する映像の端部は映像投影装置２０ｃが投影する映像の端部と連続している。また、映像投影装置２０ｄが投影する映像の端部は映像投影装置２０ｃが投影する映像の端部と連続している。制御装置は、上記映像の重なりと連続性に基づき、各映像投影装置２０ａ〜２０ｄに送信する映像情報を制御して１つの連続した映像を構成する。
【００４４】
これにより、映像投影室１の三方向の面を構成している側壁１３、袖壁１２Ｌのうち昇降スクリーン１４から露出した領域、昇降スクリーン１４、袖壁１２Ｒのうち昇降スクリーン１４から露出した領域、および側壁１５には連続した映像が投影される。このように、映像投影室１の３面に連続した映像を投影することで、来場者は３方向を映像で囲まれるため没入感が高まり、演出効果を向上させることができる。
【００４５】
図４では映像投影装置２０ａ〜２０ｄを４台用いた例を示したが、映像投影室１の３方向の面である側壁１３，１５と袖壁１２Ｒ，１２Ｌと昇降スクリーン１４に対して映像を投影できればどのような構成であってもよい。また、映像投影装置２０ａ〜２０ｄの例としてプロジェクターを挙げたが、ミラーボールやレーザプロジェクション等の投影技術やプロジェクションマッピング技術などを用いるとしてもよい。
【００４６】
次に、映像投影後の映像投影室１について図５〜図８を用いて説明する。図５は、映像投影終了後に昇降スクリーン１４を巻き上げている途中の室内を示す模式図である。図６は、図５に示した状態を示す模式断面図である。
【００４７】
制御装置は、映像投影装置２０ａ〜２０ｄを用いた映像の投影が終了すると、昇降スクリーン１４を巻き上げる。このとき、映像投影が終了するタイミングと、昇降スクリーン１４の上昇を開始するタイミングを合わせることで、空間の変化をシームレスに違和感なく行うことができる。
【００４８】
また、吊天井１０は高さＨ１の状態で保持しておくことが好ましい。昇降スクリーン１４が上昇するに従い、昇降スクリーン１４で隠されていた袖壁１２Ｒ，１２Ｌと窓領域４０および外部空間の庭等が映像投影室１内から見えるようになる。昇降スクリーン１４の背面に隠されていた窓領域４０が見えるようになると、映像投影室１は通常の住宅における居室である印象が強くなる。
【００４９】
映像投影室１の３面に映像を投影している際は、来場者に映像投影室１内は投影された映像の世界に入り込んだような印象を与えるが、映像終了と共に昇降スクリーン１４を上昇させることで、窓領域４０と外部空間を見せることができる。これにより、来場者は映像で提供された印象を受けた状態で展示用住宅１００の内容を見学することができ、演出効果を高めることができる。
【００５０】
また、図５，６に示した昇降スクリーン１４の巻き上げ途中では、吊天井１０の高さはＨ１で映像投影時と変化しないため、映像投影時と映像終了後の空間的な一体感も保持され、違和感なく展示用住宅１００の見学に移行できる。
【００５１】
図７は、吊天井１０を最も高い位置にまで上昇させた状態の室内を示す模式図である。図８は、図７に示した状態を示す模式断面図である。吊天井１０を最も高い位置にまで上昇させた際の高さはＨ２である。ここで高さＨ１は本発明における第１天井高に相当し、高さＨ２は本発明における第２天井高に相当している。上部窓領域は、高さＨ１よりも高くＨ２よりも低い位置に設けられている。
【００５２】
制御装置は、昇降スクリーン１４が高さＨ１よりも上昇した時点で、吊天井１０の上昇を開始させる。このとき、昇降スクリーン１４の上昇速度と吊天井１０の上昇速度を合わせることで、空間の変化をシームレスに違和感なく行うことができる。
【００５３】
昇降スクリーン１４は高さＨ１よりも上に位置しているため、吊天井１０によって隠されて映像投影室１からは視認できなくなる。吊天井１０が上昇するに従い、吊天井１０で隠されていた中間壁１６と上部窓領域４１が映像投影室１内から見えるようになる。吊天井１０を最も高い位置に上昇させた後に、制御装置は照明器具１０ａを点灯する。
【００５４】
吊天井１０の高さがＨ１からＨ２に変化することで、映像投影室１の空間が広がり、映像投影時と昇降スクリーン１４の巻き上げ時よりも解放感を高めることができる。また、昇降スクリーン１４の上昇と吊天井１０の上昇が連続して実行されるため、映像投影室１内にいる来場者の視線は自然に窓領域４０およびその上方に誘導される。これにより、吊天井１０で隠されていた中間壁１６と上部窓領域４１の存在と、外部空間とのつながりをより強く認識させることができる。
【００５５】
また、上部窓領域４１を介して外部領域を視認できるため、映像投影室１内から庭の高い位置や空を見ることができ、さらに解放感を高めることができる。このように、映像投影から昇降スクリーン１４の巻き上げ、吊天井１０の上昇までを一連の動作として制御装置が実行することで、来場者は一連の場面転換を違和感なく体験でき、演出効果が高まる。
【００５６】
例えば、高さＨ１を一般の住宅における天井高である約２４００ｍｍ程度とし、高さＨ２を約３５００ｍｍ程度とすると、天井の高い居室空間における視界の広さや解放感、屋外空間との連続性を強調することができる。
【００５７】
図８に示しように、スクリーンケース５０は、吊天井１０が最も高い位置にまで上昇された高さＨ２よりも高い位置に設けられている。したがって、昇降スクリーン１４のスクリーン面を最上位置まで巻き上げた状態では、スクリーンケース５０は吊天井１０によって隠蔽される。
【００５８】
図９は、昇降スクリーン１４とスクリーンケース５０の構造を示す模式断面図である。スクリーンケース５０は、上部壁１７の吹抜空間２側に取り付けられており、内部に昇降スクリーン１４とテンションバー５１と光漏洩防止部５２とロール部５３を収容している。
【００５９】
光漏洩防止部５２は、昇降スクリーン１４のスクリーン面と同一素材の生地であり、テンションバー５１の幅方向全域にわたって上部壁１７側に取り付けられて、テンションバー５１よりも下方に延出されている。光漏洩防止部５２を設けることで、テンションバー５１が床面１１に接触した状態では、テンションバー５１と床面１１とのわずかな間隙も光漏洩防止部５２で遮ることができ、窓領域４０から映像投影室１内に光が漏洩することを防止できる。ロール部５３は、スクリーンケース５０の内側に取り付けられ、昇降スクリーン１４のスクリーン面を巻き取る円柱状の部材である。
【００６０】
また展示用住宅１００では、吹抜空間２内が明るくなると、一階天井部１９や上部壁１７、側壁１３，１５等と吊天井１０との隙間から吹抜空間２内部が見えてしまうため好ましくない。昇降スクリーン１４を上部窓領域４１よりも下方に下ろした状態では、昇降スクリーン１４によって上部窓領域４１が覆われるため、吹抜空間２への光の侵入が防止される。また、昇降スクリーン１４が上部窓領域４１よりも上方に上げた状態では、スクリーンケース５０が吹抜空間２に入る光を遮り、吹抜空間２内が明るくなることを防止できる。
【００６１】
上述したように、本発明の展示用住宅１００では、映像投影室１の３面に連続した映像を投影することで、来場者は３方向を映像で囲まれるため没入感が高まり、演出効果を向上させることができる。また、昇降スクリーン１４を最も下の位置にまで下ろした状態では、来場者は映像投影室１を展示用住宅１００の他室と同様の居室空間と認識し、居住空間での体験との連動性を高め演出効果が向上する。
【００６２】
また、映像投影から昇降スクリーン１４の巻き上げ、吊天井１０の上昇までを一連の動作として制御装置が実行することで、来場者は一連の場面転換を違和感なく体験でき、演出効果が高まる。
【００６３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６４】
１００…展示用住宅
１…映像投影室
２…吹抜空間
３…納戸空間
１０…吊天井
１０ａ…照明器具
１１…床面
１２Ｒ，１２Ｌ…袖壁
１３，１５…側壁
１４…昇降スクリーン
１６…中間壁
１７…上部壁
１８…吹抜天井部
１９…一階天井部
１９ａ…衝立部
２０ａ〜２０ｄ…映像投影装置
３１…モータ部
３２…吊下梁
３３…セルフロック装置
３４…ドラム部
３５…ワイヤ
３６…吊ボルト
４０…窓領域
４１…上部窓領域
５０…スクリーンケース
５１…テンションバー
５２…光漏洩防止部
５３…ロール部
【図１】
2020071245.tif 000003
【図２】
2020071245.tif 000004
【図３】
2020071245.tif 000005
【図４】
2020071245.tif 000006
【図５】
2020071245.tif 000007
【図６】
2020071245.tif 000008
【図７】
2020071245.tif 000009
【図８】
2020071245.tif 000010
【図９】
2020071245.tif 000011